(57)【要約】【課題】あらゆる物に簡単に取り付けられ、かつ、その取り付けられた物に振動を発生させることが可能な簡易振動発生器具の提供を図る。【解決手段】内部に振動を発生させる小型振動モータあるいはアクチュエータといった振動発生具を有し且つ外部に取付部を備えた振動部と、該振動発生具を駆動するための電源部とからなる構成となっている。また、前記振動部あるいは電源部が防水加工されている構成とすることもでき、さらには、前記電源部の外部に取付部を備えた構成を採ることもできる。【選択図】図１
2006305529.tif 000002
【特許請求の範囲】
【請求項１】
内部に振動を発生させる振動発生具を有し且つ外部に取付部を備えた振動部と、該振動発生具を駆動するための電源部とからなることを特徴とする簡易振動発生器具。
【請求項２】
前記簡易振動発生器具において、振動発生具が小型振動モータであることを特徴とする請求項１に記載の簡易振動発生器具。
【請求項３】
前記簡易振動発生器具において、振動発生具がアクチュエータであることを特徴とする請求項１に記載の簡易振動発生器具。
【請求項４】
前記簡易振動発生器具において、振動部並びに電源部のいずれか一方あるいは両方が防水加工されていることを特徴とする請求項１から請求項３のいずれかに記載の簡易振動発生器具。
【請求項５】
前記簡易振動発生器具において、電源部の外部に取付部を備えたことを特徴とする請求項１から請求項４のいずれかに記載の簡易振動発生器具。
【発明の詳細な説明】
【技術分野】
【０００１】
本発明は、あらゆる物に簡単に取り付けられ、かつ、その取り付けられた物に振動を発生させることが可能な簡易振動発生器具に関するものである。
【背景技術】
【０００２】
従来より、あらゆる物に振動モータやアクチュエータといった振動発生具を内蔵させて、その物に振動を発生させることが行われている。振動を付加される物としては、歯ブラシやヘアブラシ、Ｔ字カミソリ、マッサージ器具等が代表的な例として挙げられ、これらの物に振動を与えることにより、使用者等に種々の効果を奏させることが知られている。
【０００３】
かかる従来における振動が付加された物は、その構造として、電池式あるいは充電式の電源によって内蔵された振動モータあるいはアクチュエータを駆動することで、振動を発生させる構造となっている。しかしながら、これら従来物は、振動モータあるいはアクチュエータといった振動発生装置が内蔵であることから、構造的に複雑となり、小型の物については大型化してしまうといった問題があった。また、製品単価的にも高価となりがちで、一の用途以外に使用価値がないといった問題もあった。
【特許文献１】特開２００４―３２１３２２号公報
【特許文献２】特開２００４―２２３２７６号公報
【特許文献３】特開２００４―６５９１４号公報
【特許文献４】特開２００３―１８９９４２号公報
【特許文献５】特開２００１―３３４０８０号公報
【特許文献６】特開平１１―１５１３８７号公報
【特許文献７】特開平６―２５７号公報
【特許文献８】特開平５―２３２１７号公報
【発明の開示】
【発明が解決しようとする課題】
【０００４】
上記問題点に鑑み、本発明は、あらゆる物に簡単に取り付けられ、かつ、その取り付けられた物に振動を発生させることが可能な簡易振動発生器具を提供することを目的とする。
【課題を解決するための手段】
【０００５】
前記目的を達成するため、本発明は、内部に振動を発生させる振動発生具を有し且つ外部に取付部を備えた振動部と、該振動発生具を駆動するための電源部とからなる構成となっている。
【０００６】
また、本発明は、前記簡易振動発生器具において、振動発生具が小型振動モータである構成を採用することができる。
【０００７】
さらに、本発明は、前記簡易振動発生器具において、振動発生具がアクチュエータである構成を採用することもできる。
【０００８】
またさらに、本発明は、前記簡易振動発生器具において、振動部並びに電源部のいずれか一方あるいは両方が防水加工されている構成とすることもできる。
【０００９】
そしてまた、本発明は、前記簡易振動発生器具において、電源部の外部に取付部を備えた構成を採ることもできる。
【発明の効果】
【００１０】
本発明にかかる簡易振動発生器具によれば、該簡易振動発生器具一つであらゆる物に対して取り付けられ、しかも簡単に取り付け可能となっていることから、必要に応じて振動を発生させたい物に容易に取り付けることが可能で、従来のように振動発生装置内蔵品をそろえる必要がなくなって、大変有益である。
【００１１】
また、本発明にかかる簡易振動発生器具によれば、本来振動させないような物にも取り付けることが可能であるため、あらゆる物をマッサージ器具に変えてしまうこともでき、さらには、実際に振動が有益であるとわかっていたにもかかわらずコスト面で達成されていなかったような物にも、容易に取り付けて振動効果を奏させることが可能となる。
【発明を実施するための最良の形態】
【００１２】
本発明にかかる簡易振動発生器具１は、あらゆる物に取り付け可能であって、かつ、そのあらゆる物に振動を発生させることを可能としたことを最大の特徴とする。以下、本発明にかかる簡易振動発生器具１の実施形態を図面に基づいて説明する。
【００１３】
図１は、本発明にかかる簡易振動発生器具１の第一の実施形態を示す斜視図である。該簡易振動発生器具１は、内部に振動を発生させる振動発生具３を有し且つ外部に取付部４を備えた振動部２と、該振動発生具３を駆動するための電源部５とから構成されている。
【００１４】
振動部２が内部に有する振動発生具３については、電気により振動を発生させるものであれば、その種類や形状に特に限定はなく、取り付けられる対象物に応じて任意に決定される。かかる振動発生具３の例としては、電気で振動を発生する小型振動モータやアクチュエータなどが挙げられる。該振動発生具３は、図面に示す通り、外部をカバーで覆われ、該カバーの所定箇所に取付部４が備えられて、本発明にかかる振動部２が構成される。尚、図面に示すような振動発生具３の外部全体をカバーで覆う必要は必ずしもなく、取付部４が備えられていれば、それ以外の振動発生具３の外部はむき出し状態であってもよい。
【００１５】
取付部４の構造について、図面に示す挟み込む形状のものはあくまで例示であり、特に限定するものではい。取り付けられる対象物によって最良の取付部４を任意に選択すればよく、例えば両面テープやベルクロファスナー、接着剤、ピン止め、バンド、磁石、ネジ、ゴム、紐類、針金等、多種多様な形式の取付部４が考え得る。
【００１６】
上記の通り構成された振動部２について、防水加工を施したものとすることが考えられる。取り付け対象物によっては、歯ブラシ等、水周りで使用するものも考えられるため、防水加工を施すことで、それら水周り使用物に対しても充分に対応することが可能となる。
【００１７】
前記振動発生具３を駆動すべく設けられている電源部５について、内部へ乾電池を挿入可能な一般的なソケット状のものや、内部に充電池を備えた充電式のもの等が考え得る。ただし、振動発生具３を駆動するための電源を得られれば、その構造に限定はなく、交流電源ソケットへ直接差し込む構造のものも考え得る。
【００１８】
かかる電源部５について、振動部２と同様に、防水加工を施したものとすることが考えられる。水周りで使用する取り付け対象物によっては、身体洗浄ブラシ等、振動部２だけでなく電源部５も水の危険にさらされるものがあるため、防水加工を施すことで、それら水周り使用物に対しても充分に対応することが可能となる。
【００１９】
また、図２に示すように、振動部２の外部だけでなく電源部５の外部にも取付部７を備えた構成とすることも可能である。すなわち、図２は、本発明にかかる簡易振動発生器具１の第二の実施形態を示す斜視図である。尚、かかる電源部５の外部に備えられる取付部７の構造については、上記振動部２の外部に備えられる取付部４の構造と同様である。かかる構成を採ることにより、取り付け対象物に対して振動部２と電源部５とをしっかり固定して、該取り付け対象物と簡易振動発生器具１とを一体化させることができ、使用に際する利便性の向上に資する。
【００２０】
尚、かかる電源部５からの電気を振動発生部３へ送るべく、図面においては電源コード６によって電源部５と振動部２とを繋いでいる。かかる電源コード６は、一般的に使用されているもので足り、振動発生具３を駆動するだけの電気量を送ることが可能であればよいため、さほど太い電源コード６を用意する必要はない。ただし、図面に示されているものはあくまで例示であって、かかる電源コード６は必ずしも必要ではなく、例えば振動部２と電源部５とを一体化して、電源コード６を不要なものとすることもできる。
【００２１】
以上の通り構成された簡易振動発生器具１について、図３から図６はその実施例を示している。すなわち、図３は、本発明にかかる簡易振動発生器具１を業務用のレザー剃刀Ｋに取り付けた場合を示している。振動部２はレザー剃刀Ｋの刃Ｋ１を保持する箇所に取付部４によって装着され、また、電源部５はレザー剃刀Ｋの柄部Ｋ２に取付部７によって装着されている。尚、図面では、両取付部４・７として挟み込む形式のものを採用した場合を示している。このように、本発明にかかる簡易振動発生器具１をレザー剃刀Ｋに使用して振動を与えることにより、髭剃りの際の剃り味がスムーズで且つ深剃りを実現し、髭剃り跡の肌触りも非常に滑らかとなる。
【００２２】
図４は、本発明にかかる簡易振動発生器具１を歯ブラシＴに取り付けた場合を示している。振動部２は歯ブラシＴの首部Ｔ１に取付部４によって装着され、また、電源部５は歯ブラシＴの柄部Ｔ２に取付部７によって装着されている。尚、図面では、両取付部４・７としてバンド形式のものを採用した場合を示している。このように、本発明にかかる簡易振動発生器具１を歯ブラシＴに使用して振動を与えることにより、今流行の電動歯ブラシとして機能する。
【００２３】
図５は、本発明にかかる簡易振動発生器具１をヘアブラシＨに取り付けた場合を示している。振動部２はヘアブラシＨのブラシ部Ｈ１の背面に取付部４によって装着され、また、電源部５はヘアブラシＨの柄部Ｈ２に取付部７によって装着されている。尚、図面では、両取付部４・７として両面テープあるいはベルクロファスナー、接着剤、磁石等、直接対象物に取り付けられる形式のものを採用した場合を示している。このように、本発明にかかる簡易振動発生器具１をヘアブラシＨに使用して振動を与えることにより、頭髪を整えると同時に頭皮のマッサージを行うことが可能となる。
【００２４】
図６は、本発明にかかる簡易振動発生器具１を肩たたき具Ｓに取り付けた場合を示している。振動部２は肩たたき具Ｓの肩たたき部Ｓ１の背面に取付部４によって装着され、また、電源部５は肩たたき具Ｓの柄部Ｓ２に取付部７によって装着されている。尚、図面では、振動部２の取付部４として両面テープあるいはベルクロファスナー、接着剤、磁石等、直接対象物に取り付けられる形式のものを採用し、電源部５の取付部７としてバンド形式のものを採用した場合を示している。このように、本発明にかかる簡易振動発生器具１を肩たたき具Ｓに使用して振動を与えることにより、単に肩たたきとしての機能だけでなく、マッサージ器としての機能を併せ持つものとなる。
【００２５】
尚、図３から図６に示すものはあくまで例示であり、本発明にかかる簡易振動発生器具１は、ほかにも多種多様の物に装着することが可能である。例えば、Ｔ字型剃刀、ボールペン等の筆記用具、ゴルフボールやゴルフクラブ、ペットボトルや化粧容器等の容器類、傘の柄など、あらゆるものに用意に取り付け可能である。
【図面の簡単な説明】
【００２６】
【図１】本発明にかかる簡易振動発生器具の第一の実施形態を示す斜視図である。
【図２】本発明にかかる簡易振動発生器具の第一の実施形態を示す斜視図である。
【図３】本発明にかかる簡易振動発生器具の一実施例を示す斜視図である。
【図４】本発明にかかる簡易振動発生器具の一実施例を示す斜視図である。
【図５】本発明にかかる簡易振動発生器具の一実施例を示す斜視図である。
【図６】本発明にかかる簡易振動発生器具の一実施例を示す斜視図である。
【符号の説明】
【００２７】
１    簡易振動発生器具
２    振動部
３    振動発生具
４    取付部
５    電源部
６    電源コード
７    取付部
Ｈ    ヘアブラシ
Ｈ１  ブラシ部
Ｈ２  柄部
Ｋ    レザー剃刀
Ｋ１  刃
Ｋ２  柄部
Ｓ    肩たたき具
Ｓ１  肩たたき部
Ｓ２  柄部
Ｔ    歯ブラシ
Ｔ１  首部
Ｔ２  柄部
【図１】
2006305529.tif 000003
【図２】
2006305529.tif 000004
【図３】
2006305529.tif 000005
【図４】
2006305529.tif 000006
【図５】
2006305529.tif 000007
【図６】
2006305529.tif 000008